(57)【要約】【課題】折板屋根に架台を設置するためのハゼ掴み金具について、その設置の作業性に優れた新規な構造を提案する。【解決手段】互いに枢結される一対の第一部材２１、第二部材２２にて折板屋根１のハゼ継ぎ部１２を挟持するとともに、載置される桟部材３０をハゼ継ぎ部１２に固定するためのハゼ掴み金具２０であって、桟部材３０の一側の係合部３７と係合するための係合部２２ｋが桟部材３０を載置するための面（上面部２２ｇ）の一側に配置され、桟部材３０の他側の係合部３８と係合する押え金具４０を固定するための固定部２２ｘが桟部材３０を載置するための面（上面部２２ｇ）の他側に配置され、前記枢結がなされる位置が前記一側に配置される、構成とする。【選択図】図１
2017078309.tif 000002
【特許請求の範囲】
【請求項１】
互いに枢結される一対の第一部材、第二部材にて折板屋根のハゼ継ぎ部を挟持するとともに、
載置される桟部材を前記ハゼ継ぎ部に固定するためのハゼ掴み金具であって、
前記桟部材の一側の係合部と係合するための係合部が前記桟部材を載置するための面の一側に配置され、
前記桟部材の他側の係合部と係合する押え金具を固定するための固定部が前記桟部材を載置するための面の他側に配置され、
前記枢結がなされる位置が前記一側に配置される、
ハゼ掴み金具
【請求項２】
前記押え金具を固定するための固定部は、
雌ネジが形設された貫通孔を有する傾斜面部によって構成され、
斜め方向からボルトを螺挿して前記押え金具を固定する構成とする、
ことを特徴とする請求項１に記載のハゼ掴み金具。
【請求項３】
前記傾斜面部の下部と連続する縦壁部であって、
前記傾斜面部の下部よりも前記一側方向に位置する縦壁部をさらに有し、
前記傾斜面部の前記下部には、
前記押え金具に設けられる係合部に対し上側から係合するための係合部であって、
前記縦壁部から前記他側方向に張り出した位置に形成される係合部が設けられる、構成とする、
ことを特徴とする請求項２に記載のハゼ掴み金具。
【請求項４】
前記桟部材の一側の係合部と係合するための係合部、及び、
前記押え金具を固定するための固定部は、
前記第二部材に固定される連結部材に設けられる、
ことを特徴とする請求項１乃至請求項３のいずれか一項に記載のハゼ掴み金具。
【発明の詳細な説明】
【技術分野】
【０００１】
本発明は、折板屋根に太陽電池モジュール等の屋根上設置物の架台を設置するための金具に関する。
【背景技術】
【０００２】
従来、折板屋根上に太陽電池モジュール等の屋根上設置物を設置するための金具が知られている。例えば、特許文献１では、折板屋根のハゼ部分を両側から掴むように固定し、その上に桟（架台）を載置固定するハゼ掴み金具が開示されており、ハゼ掴み金具の幅方向の中央部にはボルトが上方に突出され、そのボルトにレール受け部材が固定され、レール受け部材対し桟が横方向両側からボルト固定される。
【０００３】
同様に、特許文献２では、折板屋根のハゼ部分を両側から掴むように固定し、その上に太陽電池モジュールを載置固定する金具の構成が開示されている。
【０００４】
また、特許文献３には、折板屋根上に固定される固定部材の上に桟（支持部材）が載置され、押え金具にて桟の一部を上から押えることで、固定部材と桟を連結する構成が開示されている。
【先行技術文献】
【特許文献】
【０００５】
【特許文献１】特開２０１５−４５１９２号公報
【特許文献２】特開２０１３−３２６７９号公報
【特許文献３】特開２０１４−５１８７７号公報
【発明の概要】
【発明が解決しようとする課題】
【０００６】
以上に説明した金具については、屋根上といった高所作業にて固定作業が行われるため、作業性の改善がより求められている。
【０００７】
この点、特許文献１に開示される構成では、桟に対し横方向両側からボルトを挿入して固定する構成であるため、ボルトの固定箇所が二箇所となり、作業性が悪いという課題がある。また、横方向からのボルトの挿入はボルト穴を目視確認することなどが困難であり、この点においても作業性が悪いといった別の課題が生じている。
【０００８】
特許文献２に開示される構成では、太陽電池モジュールを上位金具で直接押える構成であり、桟を金具に固定する構成について課題を解決できる構造を開示するものではない。
【０００９】
特許文献３に開示される構成では、桟を固定する際に、ボルトを下側から刺し込んで押え金具に挿通させる必要があり、作業性が悪いという課題がある。
【００１０】
本発明は以上の課題を見出し、折板屋根に架台を設置するためのハゼ掴み金具について、その設置の作業性に優れた新規な構造を提案するものである。
【課題を解決するための手段】
【００１１】
本発明の解決しようとする課題は以上の如くであり、次にこの課題を解決するための手段を説明する。
【００１２】
即ち、請求項１に記載のごとく、
互いに枢結される一対の第一部材、第二部材にて折板屋根のハゼ継ぎ部を挟持するとともに、
載置される桟部材を前記ハゼ継ぎ部に固定するためのハゼ掴み金具であって、
前記桟部材の一側の係合部と係合するための係合部が前記桟部材を載置するための面の一側に配置され、
前記桟部材の他側の係合部と係合する押え金具を固定するための固定部が前記桟部材を載置するための面の他側に配置され、
前記枢結がなされる位置が前記一側に配置される、
ハゼ掴み金具とする。
【００１３】
また、請求項２に記載のごとく、
前記押え金具を固定するための固定部は、
雌ネジが形設された貫通孔を有する傾斜面部によって構成され、
斜め方向からボルトを螺挿して前記押え金具を固定する構成とする。
【００１４】
また、請求項３に記載のごとく、
前記傾斜面部の下部と連続する縦壁部であって、
前記傾斜面部の下部よりも前記一側方向に位置する縦壁部をさらに有し、
前記傾斜面部の前記下部には、
前記押え金具に設けられる係合部に対し上側から係合するための係合部であって、
前記縦壁部から前記他側方向に張り出した位置に形成される係合部が設けられる、構成とする。
【００１５】
また、請求項４に記載のごとく、
前記桟部材の一側の係合部と係合するための係合部、及び、
前記押え金具を固定するための固定部は、
前記第二部材に固定される連結部材に設けられる、こととする。
【発明の効果】
【００１６】
請求項１に記載の発明によれば、
桟部材の一方の側においてのみ押え金具を固定することで、ハゼ掴み金具に対する桟部材の固定を完了することができ、作業性に優れた構成を実現できる。
【００１７】
また、請求項２に記載の発明によれば、
斜め方向からボルトの締結作業を行うことができ、貫通孔の箇所を目視確認することも可能となり、屋根上での高所作業に好適な作業性に優れた構成を実現できる。また、斜め方向から桟部材の係合部を押さえ込むことが可能となり、桟部材が上方向と横方向の両方向から固定されることになって、桟部材のズレを確実に規制することができる。
【００１８】
また、請求項３に記載の発明によれば、
押え金具の上方向への移動がハゼ掴み金具によって規制され、風による吹き上げ荷重が太陽電池モジュールに作用し、桟部材を押し上げる荷重が発生した場合でも、桟部材を下側から確実に保持し続けることが可能となる。
【００１９】
また、請求項４に記載の発明によれば、
連結部材の向きによって、桟部材の一側の係合部と係合するための係合部と、押え金具を固定するための固定部の向き設定することができ、例えば、ハゼ継ぎ部が延びる方向と、桟部材の長手方向が直交する場合に対応することができる。
【図面の簡単な説明】
【００２０】
【図１】屋根上設置物として太陽電池モジュールを設置する例を示す図。
【図２】ハゼ掴み金具の設置箇所の構成について示す正面図。
【図３】ハゼ掴み金具の設置箇所の構成について示す側面図。
【図４】（Ａ）は第一部材の構成について示す斜視図。（Ｂ）は第二部材の構成について示す斜視図。（Ｃ）はハゼ掴み金具を仮組みした状態について示す斜視図。（Ｄ）は押え金具の構成について示す斜視図。
【図５】（Ａ）はハゼ掴み金具による固定について説明する図。（Ｂ）は挟持部の形状について説明する図。
【図６】ハゼ掴み金具の設置箇所の他の実施例の構成について示す正面図。
【図７】ハゼ掴み金具の設置箇所の他の実施例の構成について示す側面図。
【図８】（Ａ）は第一部材の構成について示す斜視図。（Ｂ）は第二部材の構成について示す斜視図。（Ｃ）は第一部材及び第二部材を仮組みした状態について示す斜視図。（Ｄ）は第三部材の構成について示す斜視図。（Ｅ）は押え金具の構成について示す斜視図。（Ｆ）はハゼ掴み金具を仮組みした状態について示す斜視図。
【発明を実施するための形態】
【００２１】
次に、発明の実施の形態について図面を用いて説明する。なお、以下の説明において図１に示す折板屋根１を構成する各屋根材１０の長手方向を縦方向Ｙ、又は、奥行方向Ｙとし、屋根材１０が並べられる方向を横方向Ｘ、幅方向Ｘ、又は、左右方向Ｘとする。また、縦、横の用語は説明の便宜上用いるものであり、具体的な方向を限定するものではない。
【００２２】
図１は、屋根上設置物としてパネル状の太陽電池モジュール２を設置する例を示すものである。折板屋根１は、奥行方向Ｙに長い長尺の屋根材１０，１０を横方向Ｘに複数並べ、ハゼ継ぎ部１２にてハゼ継ぎすることで構成される。
【００２３】
ハゼ継ぎ部１２の縦方向Ｙの複数個所には、間隔を空けてハゼ掴み金具２０，２０が取付けられ、ハゼ掴み金具２０，２０の上に架台を構成する桟部材３０が載置固定される。
【００２４】
桟部材３０，３０は、横方向Ｘの複数個所に間隔を空けて互いに平行になるように設置され、桟部材３０，３０の上に太陽電池モジュール２，２が設置される。桟部材３０の上部には、固定ボルト３１が上方向に突出され、太陽電池モジュール２をモジュール押え金具３５で押さえ込みつつ、ナット３６にてモジュール押え金具３５を固定ボルト３１に固定することで、桟部材３０に対して太陽電池モジュール２が強固に固定される。なお、桟部材３０を縦横方向に井桁状とする架台とし、太陽電池モジュール２を載置する構成としてもよい。
【００２５】
次に、桟部材３０を屋根材１０の奥行方向Ｙに沿って配置する場合の構成について説明する。
図２はハゼ掴み金具の設置箇所の構成について示す正面図、図３は同じく側面図、図４はハゼ掴み金具の構成について説明する図、図５はハゼ掴み金具による固定方法について説明する図である。
【００２６】
図２及び図３に示すように、タイトフレーム４の上部において、横方向Ｘに隣り合う屋根材１０，１０同士がハゼ継ぎされてハゼ継ぎ部１２が形成される。ハゼ継ぎ部１２にはタイトフレーム４と連結するための連結金具６が挟み込まれ、連結金具６を介して各屋根材１０，１０とタイトフレーム４が連結固定される。
【００２７】
ハゼ継ぎ部１２は、上方に向けて突出して断面視略逆Ｌ字状をなし、奥行方向Ｙに延びる突条部を構成するものであり、このハゼ継ぎ部１２を上から掴むように、ハゼ掴み金具２０が取付けられる。
【００２８】
ハゼ掴み金具２０には桟部材３０が載置され、桟部材３０の一側側面の係合部３７がハゼ掴み金具２０の一側端部に形設された係合部２２ｋに係合されるとともに、桟部材３０の横方向Ｘの他側の係合部３８が上から押え金具４０にて押さえ込まれることで、ハゼ掴み金具２０に桟部材３０が固定される。
【００２９】
桟部材３０の上面には、太陽電池モジュール２が載置される。また、桟部材３０の上面には、奥行方向Ｙに延びる凹溝３３が形成されており、この凹溝３３から固定ボルト３１が突出され、太陽電池モジュール２をモジュール押え金具３５で押さえ込みつつ、ナット３６にてモジュール押え金具３５を固定ボルト３１に固定することで、桟部材３０に対して太陽電池モジュール２が強固に固定される。
【００３０】
次に、ハゼ掴み金具２０の構成について説明する。
図４（Ａ）〜（Ｃ）に示すように、ハゼ掴み金具２０は、第一部材２１と第二部材２２を有し、両部材を連結して構成されるものである。
【００３１】
図４（Ａ）に示すように、第一部材２１は、底面部２１ａと、底面部２１ａの一側端部に形成される挟持部２１ｂと、底面部２１ａから上方に立ち上がる縦壁部２１ｃと、縦壁部２１ｃの上端部に形成される連結部２１ｄと、を有して構成される。この第一部材２１は、例えば、長尺のアルミ押出成形材を所定の長さに切断して製造することができる。
【００３２】
図４（Ｂ）に示すように、第二部材２２は、底面部２２ａと、底面部２２ａの一側端部に形成される挟持部２２ｂと、底面部２２ａから上方に立ち上がる縦壁部２２ｃと、縦壁部２２ｃの上端部から挟持部２２ｂと逆方向に略水平に延出する横面部２２ｅと、横面部２２ｅの延出端部から斜め上方向であって、挟持部２２ｂの方向に延出する傾斜面部２２ｆと、傾斜面部２２ｆの上端部から挟持部２２ｂの方向に略水平に延出する上面部２２ｇと、上面部２２ｇの延出端部に形成される連結部２２ｄと、連結部２２ｄの近傍において桟部材３０の係合部３７（図５（Ａ））と係合するための係合部２２ｋと、を有して構成される。この第二部材２２は、例えば、長尺のアルミ押出成形材を所定の長さに切断して製造することができる。
【００３３】
図４（Ａ）（Ｂ）に示すように、第一部材２１の連結部２１ｄは奥行方向Ｙに延びる円柱状に構成され、第二部材２２の連結部２２ｄは奥行方向Ｙに延びる断面略Ｃ字状に構成され、連結部２２ｄ内に横から連結部２１ｄを挿入するようにして、両部材２１，２２が回動可能に枢結される。そして、図４（Ｃ）に示すように、両部材２１，２２が枢結された箇所において枢結部２４が構成される。なお、連結部２１ｄ，２２ｄの形状は逆の関係、即ち、連結部２１ｄ側を断面略Ｃ字状とし、連結部２２ｄ側を円柱状とすることとしてもよい。
【００３４】
図４（Ａ）（Ｂ）に示すように、第一部材２１の縦壁部２１ｃの中央部には厚み方向に貫通する貫通孔２１ｈが形成され、貫通孔２１ｈの位置に対向するように、第二部材２２の縦壁部２２ｃの中央部にも厚み方向に貫通する貫通孔２２ｈが形成される。そして、図４（Ｃ）に示すように、両部材２１，２２が枢結された状態において、両貫通孔２１ｈ，２２ｈに連結ボルト２５ａが挿通されるとともに、連結ボルト２５ａの突端部にナット２５ｂ（図５（Ａ）参照）が締結され、両部材２１，２２が一体化される。
【００３５】
図４（Ｂ）に示すように、傾斜面部２２ｆは、約４５度の傾斜面をなすように構成される。この傾斜面部２２ｆは、図４（Ｄ）に示す押え金具４０を固定するための固定部２２ｘとして機能する。押え金具４０は、第二部材２２の傾斜面部２２ｆに対向する傾斜面部４２ｆと、傾斜面部４２ｆの一側端部において、桟部材３０の係合部３８と係合するための係合部４２ｋと、第二部材２２の傾斜面部２２ｆの係合部２２ｍ（図４（Ｂ））と係合するための係合部４２ｍと、を有して構成される。
【００３６】
図４（Ｂ）（Ｄ）に示すように、第二部材２２の傾斜面部２２ｆには雌ネジが形設された貫通孔２２ｊが形成され、押え金具４０の傾斜面部４２ｆには雌ネジが形設されない貫通孔４２ｊが形成されており、両貫通孔２２ｊ，４２ｊにボルト２６（図５（Ａ）参照）を挿入し捻じ込むことで、押え金具４０が第二部材２２に対して固定される。この固定作業においては、両貫通孔２２ｊ，４２ｊを斜め上方向から目視確認できるため、作業が容易に行える。
【００３７】
次に、ハゼ掴み金具２０を用いた桟部材３０の固定について説明する。
図５（Ａ）に示すように、第一部材２１と第二部材２２を枢結部２４にて枢結するとともに、両部材２１，２２に連結ボルト２５ａを挿通してナット２５ｂを取付けて仮締めし、第一部材２１と第二部材２２を互いに回動可能な状態としつつ一体化させる。
【００３８】
次いで、両部材２１，２２を枢結部２４を基点として挟持部２１ｂ，２２ｂを広げるようにし、挟持部２１ｂ，２２ｂの隙間を通過させるようにして、ハゼ掴み金具２０の内側空間２０ａにハゼ継ぎ部１２を挿入し、図５（Ｂ）の状態とする。この状態において、挟持部２１ｂ，２２ｂは、屋根材１０のハゼ継ぎ部１２を構成する立上がり片部分１０ａ，１０ｂに対向し、ボルトナット２５ａ，２５ｂ（図５（Ａ））を締結することにより、挟持部２１ｂ，２２ｂにて立上がり片部分１０ａ，１０ｂが両側から挟み込まれる。
【００３９】
ここで、挟持部２１ｂ，２２ｂには、立上がり片部分１０ａ，１０ｂに点で当接するための突起部２１ｕ，２２ｕ（突条部）が複数個所に構成されており、立上がり片部分１０ａ，１０ｂに対し突起部２１ｕ，２２ｕが点接触（奥行方向において線接触）することで、挟持部２１ｂ，２２ｂにより立上がり片部分１０ａ，１０ｂを確実に挟持し続けることが可能となる。本実施例では、断面視横方向Ｖ字型のくぼみを構成し、それぞれ上下二箇所に突起部２１ｕ，２２ｕが構成されることとしている。
【００４０】
以上のようにしてハゼ継ぎ部１２に対するハゼ掴み金具２０の取付けが作業が完了できる。取付け完了後は、挟持部２１ｂ，２２ｂにてハゼ継ぎ部１２が両側から挟まれつつ、ハゼ掴み金具２０の底面部２１ａ，２２ａがそれぞれ屋根材１０の上面に載置された状態となる（図２参照）。
【００４１】
そして、以上のハゼ掴み金具２０の取付け作業においては、予め第一部材２１，第一部材２１を仮組みし、ボルトナット２５ａ，２５ｂを仮締めしておくことで、屋根作業時には、ボルトナット２５ａ，２５ｂを増し締めするだけで容易に作業を完了することができ、作業性に優れた構成が実現できる。
【００４２】
次いで、図５（Ａ）に示すように、ハゼ掴み金具２０の上面部２２ｇに、桟部材３０の下面部３０ｇが載置される。桟部材３０の一側側面には、奥行方向に延びる凹溝状の係合部３７が形成されており、この係合部３７がハゼ掴み金具２０の係合部２２ｋと係合される。本実施例では、断面略コ字状に形成される係合部２２ｋに横方向から凸状の係合部３７に差し込むことで、係合部２２ｋ，３７同士を係合させる構成としている。
【００４３】
次いで、図５（Ａ）に示すように、桟部材３０の他側側面に形成された奥行方向に延びる凹溝状の係合部３８に対し、押え金具４０の係合部４２ｋを挿入しつつ、傾斜面部２２ｆ，４２ｆを当接させ、ボルト２６を締結する。これにより、桟部材３０の一側において係合部３７が係合部２２ｋと係合し、他側において係合部３８が係合部４２ｋと係合する。
【００４４】
また、図５（Ａ）に示すように、押え金具４０をボルト２６にて固定した状態では、押え金具４０の係合部４２ｍが、ハゼ掴み金具２０に形設される係合部２２ｍ（角度約４５度の傾斜面）に係合するようになっている。これにより、押え金具４０の上方向への移動がハゼ掴み金具２０によって規制され、風により押し上げ方向の荷重が太陽電池モジュールに作用し、桟部材３０を押し上げる荷重が発生した場合でも、桟部材３０を下側から確実に保持し続けることが可能となる。
【００４５】
なお、図５（Ａ）に示すように、係合部２２ｍは、縦壁部２２ｃから横方向に横面部２２ｅを持ち出し、斜め４５度方向に折り返すようにして傾斜面部２２ｆを構成し、横面部２２ｅと傾斜面部２２ｆが略Ｖ字状に交差する部位にて構成されるものである。そして、このように構成することで、図４（Ｃ）に示すように、係合部２２ｍが縦壁部２２ｃから横方向に張り出した位置に形成され、第一部材２１の縦壁部２１ｃと第二部材２２の縦壁部２２ｃの間の距離Ｘ２（幅方向Ｘの距離）を短くすることができる。これにより、ボルト２５ａの長さも短くすることが可能となり、第一部材２１，第二部材２２を一体化させた後の全体の剛性を高くなってよりハゼ継ぎ部をより強固に掴み続けることが可能となると共に、軽量化も図られる。
【００４６】
以上のようにして、桟部材３０をハゼ掴み金具２０を介してハゼ継ぎ部１２に固定することができる。なお、桟部材３０をハゼ掴み金具２０に固定した後は、桟部材３０の奥行方向Ｙのズレを規制するため、図４（Ｃ）に示すように、第一部材２１の係合部２２ｋの立ち上がり部に形成した横貫通孔２２ｗを通じ、図示せぬ移動規制ボルトが桟部材３０に打ち込まれる。
【００４７】
次に、桟部材３０を屋根材１０の奥行方向Ｙと直交して配置させる場合の構成について説明する。
図６はハゼ掴み金具の設置箇所の構成について示す正面図、図７は同じく側面図、図８はハゼ掴み金具の構成について説明する図である。
【００４８】
図６及び図７に示すように、タイトフレーム４の上部において、横方向Ｘに隣り合う屋根材１０，１０同士がハゼ継ぎされてハゼ継ぎ部１２が形成される。ハゼ継ぎ部１２にはタイトフレーム４と連結するための連結金具６が挟み込まれ、連結金具６を介して各屋根材１０，１０とタイトフレーム４が連結固定される。
【００４９】
ハゼ継ぎ部１２は、上方に向けて突出して断面視略逆Ｌ字状をなし、奥行方向Ｙに延びる突条部を構成するものであり、このハゼ継ぎ部１２を上から掴むように、ハゼ掴み金具２０Ａが取付けられる。
【００５０】
ハゼ掴み金具２０Ａには桟部材３０が載置され、桟部材３０の一側側面の係合部３７がハゼ掴み金具２０Ａの一側端部に形設された係合部２３ｋに係合されるとともに、桟部材３０の横方向Ｘの他側の係合部３８が上から押え金具４０にて押さえ込まれることで、ハゼ掴み金具２０Ａに桟部材３０が固定される。
【００５１】
桟部材３０の上面には、太陽電池モジュール２が載置される。また、桟部材３０の上面には、横方向Ｘに延びる凹溝３３が形成されており、この凹溝３３から固定ボルト３１が突出され、太陽電池モジュール２をモジュール押え金具３５で押さえ込みつつ、ナット３６にてモジュール押え金具３５を固定ボルト３１に固定することで、桟部材３０に対して太陽電池モジュール２が強固に固定される。
【００５２】
次に、ハゼ掴み金具２０Ａの構成について説明する。
図８（Ｆ）に示すように、ハゼ掴み金具２０Ａは、第一部材２１、第二部材２２Ａ、及び、連結部材２３を有し、これら部材を連結して構成されるものである。
【００５３】
図８（Ａ）に示すように、第一部材２１は、上述した図４（Ａ）に示す構成と同様であり、説明を省略する。
【００５４】
図８（Ｂ）に示すように、第二部材２２Ａは、底面部２２ａと、底面部２２ａの一側端部に形成される挟持部２２ｂと、底面部２２ａから上方に立ち上がる縦壁部２２ｃと、縦壁部２２ｃの上端部から挟持部２２ｂの方向に略水平に延出する上面部２２ｇと、上面部２２ｇの延出端部に形成される連結部２２ｄと、を有して構成される。この第二部材２２Ａは、例えば、長尺のアルミ押出成形材を所定の長さに切断して製造することができる。
【００５５】
図８（Ａ）（Ｂ）に示すように、第一部材２１の連結部２１ｄは奥行方向Ｙに延びる円柱状に構成され、第二部材２２Ａの連結部２２ｄは奥行方向Ｙに延びる筒状に構成され、連結部２２ｄ内に横から連結部２１ｄを挿入するようにして、両部材２１，２２が回動可能に枢結される。そして、図８（Ｃ）に示すように、両部材２１，２２が枢結された箇所において枢結部２４が構成される。
【００５６】
図８（Ａ）（Ｂ）に示すように、第一部材２１の縦壁部２１ｃの中央部には厚み方向に貫通する貫通孔２１ｈが形成され、貫通孔２１ｈの位置に対向するように、第二部材２２Ａの縦壁部２２ｃの中央部にも厚み方向に貫通する貫通孔２２ｈが形成される。そして、図８（Ｃ）に示すように、両部材２１，２２が枢結された状態において、両貫通孔２１ｈ，２２ｈに連結ボルト２５ａが挿通されるとともに、連結ボルト２５ａの突端部にナット２５ｂ（図７参照）が締結され、両部材２１，２２Ａが一体化される。
【００５７】
図８（Ｂ）（Ｃ）に示すように、第二部材２２Ａの上面部２２ｇには上下方向の貫通孔２２ｐが形設され、この貫通孔２２ｐに対し下側からボルト２２ｖが挿入されて、ボルト２２ｖが上面部２２ｇから突出して配置される。
【００５８】
図８（Ｄ）に示すように、連結部材２３は、下板部２３ａと、下板部２３ａから離れる方向に約斜め４５度方向に立ち上がる傾斜面部２３ｂと、傾斜面部２３ｂの上端部において下板部２３ａ側に近づく方向に約斜め４５度方向に立ち上がる傾斜面部２３ｆと、傾斜面部２３ｆの上端部から下板部２３ａと対向するように略水平に延出する上面部２３ｇと、この上面部２３ｇの延出端部と下板部２３ａを結ぶ縦壁部２３ｃと、縦壁部２３ｃの上端部に形成され、桟部材３０の係合部３７と係合するための係合部２３ｋと、上面部２３ｇにおいて上下方向に貫通する開口部２３ｄと、下板部２３ａにおいて上下方向に貫通する貫通孔２３ｅと、を有して構成される。
【００５９】
図８（Ｃ）（Ｄ）に示すように、第二部材２２Ａの上面部２２ｇから突出されるボルト２２ｖは、連結部材２３の貫通孔２３ｅに差し込まれ、連結部材２３の開口部２３ｄからナット２３ｓ（図７参照）を挿入してボルト２２ｖに締結することで、両部材２２Ａ，２３が一体化される（図８（Ｆ））。
【００６０】
図８（Ｄ）に示すように、傾斜面部２３ｆは、約４５度の傾斜面をなすように構成される。この傾斜面部２３ｆは、図８（Ｅ）に示す押え金具４０を固定するための固定部２３ｘとして機能する。この押え金具４０は、図４（Ｄ）に示す構成と同様であり、説明を省略する。
【００６１】
図８（Ｄ）（Ｅ）に示すように、連結部材２３の傾斜面部２３ｆには雌ネジが形設された貫通孔２３ｊが形成され、押え金具４０の傾斜面部４２ｆには雌ネジが形設されない貫通孔４２ｊが形成されており、両貫通孔２２ｊ，４２ｊにボルト２６（図７参照）を挿入し捻じ込むことで、押え金具４０と連結部材２３を一体化させる（図７参照）。
【００６２】
次に、ハゼ掴み金具２０Ａを用いた桟部材３０の固定について説明する。
図８（Ｃ）に示すように、第一部材２１と第二部材２２Ａを枢結部２４にて枢結するとともに、両部材２１，２２に連結ボルト２５ａを挿通してナット２５ｂ（図６）を取付けて仮締めし、第一部材２１と第二部材２２Ａを互いに回動可能な状態としつつ一体化させる。また、連結部材２３を第二部材２２Ａと一体化させて図８（Ｆ）に示す状態とする。
【００６３】
そして、図５（Ａ）で示す構成と同様に、第一部材２１，第二部材２２の挟持部２１ｂ，２２ｂにてハゼ継ぎ部１２を挟み込む。次いで、図６及び図７に示すように、連結部材２３の傾斜面部２３ｆに押え金具４０を固定することで、桟部材３０をハゼ掴み金具２０Ａに対して固定することができる。なお、ハゼ掴み金具２０Ａにおいても図５（Ａ）（Ｂ）にて説明した内容は同様であり、説明を省略する。
【００６４】
以上に説明した内容により、以下の構成を実現することができる。
即ち、図１乃至図５に示すように、
互いに枢結される一対の第一部材２１、第二部材２２にて折板屋根１のハゼ継ぎ部１２を挟持するとともに、
載置される桟部材３０をハゼ継ぎ部１２に固定するためのハゼ掴み金具２０であって、
桟部材３０の一側の係合部３７と係合するための係合部２２ｋが桟部材３０を載置するための面（上面部２２ｇ）の一側に配置され、
桟部材３０の他側の係合部３８と係合する押え金具４０を固定するための固定部２２ｘが桟部材３０を載置するための面（上面部２２ｇ）の他側に配置され、
前記枢結がなされる位置が前記一側に配置される、構成が実現できる。
【００６５】
また、図６乃至図８の構成においても同様に、
互いに枢結される一対の第一部材２１、第二部材２２Ａにて折板屋根１のハゼ継ぎ部１２を挟持するとともに、
載置される桟部材３０をハゼ継ぎ部１２に固定するためのハゼ掴み金具２０Ａであって、
桟部材３０の一側の係合部３７と係合するための係合部２３ｋが桟部材３０を載置するための面（上面部２２ｇ）の一側に配置され、
桟部材３０の他側の係合部３８と係合する押え金具４０を固定するための固定部２３ｘが桟部材３０を載置するための面（上面部２２ｇ）の他側に配置される、構成が実現できる。
【００６６】
これにより、桟部材３０の一方の側においてのみ押え金具４０を固定することで、ハゼ掴み金具２０に対する桟部材３０の固定を完了することができ、作業性に優れた構成を実現できる。
【００６７】
また、図５（Ａ）に示すように、押え金具４０を固定するための固定部２３ｘは、雌ネジが形設された貫通孔２２ｊを有する傾斜面部２２ｆによって構成され、斜め方向からボルト２６を螺挿して押え金具４０を固定する構成とする。
【００６８】
これにより、斜め方向からボルト２６の締結作業を行うことができ、貫通孔２２ｊの箇所を目視確認することも可能となり、屋根上での高所作業に好適な作業性に優れた構成を実現できる。また、斜め方向から桟部材３０の係合部３８を押さえ込むことが可能となり、桟部材３０が上方向と横方向の両方向から固定されることになって、桟部材３０のズレを確実に規制することができる。
【００６９】
また、図５（Ａ）に示すように、
傾斜面部２２ｆの下部と連続する縦壁部２２ｃであって、傾斜面部２２ｆの下部よりも一側方向に位置する縦壁部２２ｃをさらに有し、傾斜面部２２ｆの下部には、押え金具４０に設けられる係合部４２ｍに対し上側から係合するための係合部２２ｍであって、縦壁部２２ｃから他側方向に張り出した位置に形成される係合部２２ｍが設けられる、構成とする。
【００７０】
これにより、押え金具４０の上方向への移動がハゼ掴み金具２０によって規制され、風による吹き上げ荷重が太陽電池モジュールに作用し、桟部材３０を押し上げる荷重が発生した場合でも、桟部材３０を下側から確実に保持し続けることが可能となる。
【００７１】
また、図６乃至図８に示すように、
桟部材３０の一側の係合部３７と係合するための係合部２３ｋ、及び、
押え金具４０を固定するための固定部２３ｘは、
第二部材２２Ａに固定される連結部材２３に設けられる、
構成とする。
【００７２】
これにより、連結部材２３の向きによって、桟部材３０の一側の係合部３７と係合するための係合部２３ｋと、押え金具４０を固定するための固定部２３ｘの向き設定することができ、例えば、ハゼ継ぎ部１２が延びる方向と、桟部材３０の長手方向が直交する場合（図６、図７）に対応することができる。
【００７３】
なお、以上に説明した構成の他にも、例えば、図８（Ｆ）に示す構成において、連結部材２３の第二部材２２Ａに対する固定角度を９０度ずらすことによれば、図１に示すように、ハゼ継ぎ部１２の延びる方向と桟部材３０の長手方向が同一の構成においても用いることができる。また、図４（Ｃ）の構成において、幅方向Ｘの両側に係合部２２ｋと傾斜面部２２ｆをそれぞれ設けたが、奥行方向Ｙの両側に係合部２２ｋと傾斜面部２２ｆを設けることによれば、図６及び図７に示すように、ハゼ継ぎ部１２が延びる方向と、桟部材３０の長手方向が直交する場合に対応することが可能となる。
【産業上の利用可能性】
【００７４】
本発明は、折板屋根に太陽電池モジュール等の屋根上設置物の架台を設置するための金具について幅広く適用することができる。
【符号の説明】
【００７５】
１    折板屋根
２    太陽電池モジュール
４    タイトフレーム
１０    屋根材
１２    ハゼ継ぎ部
２０    ハゼ掴み金具
２１    第一部材
２２    第二部材
２３    連結部材
２４    枢結部
３０    桟部材
４０    押え金具
【図１】
2017078309.tif 000003
【図２】
2017078309.tif 000004
【図３】
2017078309.tif 000005
【図４】
2017078309.tif 000006
【図５】
2017078309.tif 000007
【図６】
2017078309.tif 000008
【図７】
2017078309.tif 000009
【図８】
2017078309.tif 000010